(57)【要約】【課題】簡易に製造する。【解決手段】小切手処理装置１は、小切手ＣＫにおける紙面と対向する案内面により搬送方向に沿って小切手ＣＫの第１搬送路Ｗ１を形成し、第１搬送路Ｗ１に沿って小切手ＣＫを案内する搬送ガイド３０と、搬送方向と直交する搬送幅方向の一方に設けられ、複数の板状部材である基準面ガイド３２、基準近傍搬送ガイド６２、下側搬送ガイド３０Ｄ、上側補助ガイド６４Ｕ及び下側補助ガイド６４Ｄが重なり小切手ＣＫにおける搬送幅方向の搬送範囲を制限する基準面３２Ｓが形成された基準面ガイド部６０と、複数の板状部材を締結する固定ネジ６６と、基準面３２Ｓに小切手ＣＫを近づけて幅寄せを行う幅寄せローラ対４８とを設ける。【選択図】図５
2018188279.tif 000002
【特許請求の範囲】
【請求項１】
紙葉状の媒体における紙面と対向する案内面により搬送方向に沿って前記媒体の搬送路を形成し、前記搬送路に沿って前記媒体を案内する搬送ガイドと、
前記搬送方向と直交する搬送幅方向の一方に設けられ、複数の板状部材が重なり前記媒体における前記搬送幅方向の搬送範囲を制限する基準面が形成された基準面ガイド部と、
前記複数の板状部材を締結する締結部材と、
前記基準面に前記媒体を近づけて幅寄せを行う幅寄せローラと
を有する媒体幅寄せ装置。
【請求項２】
前記基準面ガイド部は、
前記基準面を形成する基準面ガイドと、
前記基準面ガイドに対する一方に配され前記媒体における紙面の一方をガイド面により案内する第１の搬送ガイドと、
前記基準面ガイドに対する他方に配され前記媒体における紙面の他方をガイド面により案内する第２の搬送ガイドと
を有する請求項１に記載の媒体幅寄せ装置。
【請求項３】
前記基準面ガイド部は、
前記第１の搬送ガイドに対し前記基準面ガイドから離隔する側に配され前記第１の搬送ガイドを前記基準面ガイドに押し付ける第１の補助ガイドと、
前記第２の搬送ガイドに対し前記基準面ガイドから離隔する側に配され前記第２の搬送ガイドを前記基準面ガイドに押し付ける第２の補助ガイドと
をさらに有する請求項２に記載の媒体幅寄せ装置。
【請求項４】
前記第１の搬送ガイドは、前記基準面の近傍において、前記第２の搬送ガイドとの間に隙間を空けて前記ガイド面よりも突出する第１の突出部
を有する請求項２に記載の媒体幅寄せ装置。
【請求項５】
前記第２の搬送ガイドは、前記基準面の近傍において、前記第１の搬送ガイドとの間に隙間を空けて前記ガイド面よりも突出する第２の突出部
を有する請求項４に記載の媒体幅寄せ装置。
【請求項６】
前記第１の突出部及び前記第２の突出部は、前記基準面から離隔する側から前記基準面へ近接するに連れて高くなる案内面が形成されている
請求項５に記載の媒体幅寄せ装置。
【請求項７】
前記第１の突出部及び前記第２の突出部は、前記搬送方向に沿って離散的に複数個が形成されている
請求項６に記載の媒体幅寄せ装置。
【請求項８】
前記第１の突出部及び前記第２の突出部は、円錐形状である
請求項７に記載の媒体幅寄せ装置。
【請求項９】
前記第１の突出部及び前記第２の突出部は、前記搬送方向に沿って連続的に形成されている
請求項５に記載の媒体幅寄せ装置。
【請求項１０】
前記第１の突出部及び前記第２の突出部は、毛状部材である
請求項９に記載の媒体幅寄せ装置。
【請求項１１】
前記第１の突出部及び前記第２の突出部は、前記基準面から離隔する側から前記基準面へ近接するに連れて高くなる案内面が形成されるよう平板状の前記第１の搬送ガイド及び前記第２の搬送ガイドが変形したリブである
請求項９に記載の媒体幅寄せ装置。
【請求項１２】
前記第１の突出部及び前記第２の突出部は、前記案内面の延長線が、前記基準面ガイドにおける厚み方向のほぼ中央部と交差する
請求項６又は請求項１１に記載の媒体幅寄せ装置。
【請求項１３】
前記第１の搬送ガイドと前記第２の搬送ガイドとは、前記基準面ガイドよりも前記基準面から離隔する方向へ突出する
請求項２に記載の媒体幅寄せ装置。
【請求項１４】
前記板状部材は金属製である
請求項１に記載の媒体幅寄せ装置。
【請求項１５】
前記基準面は、前記媒体の厚み方向と前記搬送方向とに沿う平面形状である
請求項１に記載の媒体幅寄せ装置。
【発明の詳細な説明】
【技術分野】
【０００１】
本発明は媒体幅寄せ装置に関し、例えば小切手や有価証券の入金機に適用して好適なものである。
【背景技術】
【０００２】
従来、媒体処理装置においては、紙葉状の媒体の搬送幅方向を規制する基準面ガイドと媒体の厚み方向を規制する上下のガイドとがコの字状で一体となったガイド部があった（例えば、特許文献１参照）。このようなガイド部が、非整列に挿入される媒体を基準面側に寄せながら搬送させる幅寄せ搬送路に適用する場合、突き当て基準となる基準面ガイドが媒体端面に擦られて摩耗してしまうため、耐久性を確保するには強固な金属で形成する必要があり、鋳造で製造したり、金属ブロックを削り出して製造したり、専用の絞り金型を使って製造したりしていた。
【先行技術文献】
【特許文献】
【０００３】
【特許文献１】米国特許第８１１３５１１号明細書
【発明の概要】
【発明が解決しようとする課題】
【０００４】
しかしながら、そのような製造方法の場合、金属加工に大きな手間や労力が掛かっていた。
【０００５】
本発明は以上の点を考慮してなされたもので、簡易に製造し得る媒体幅寄せ装置を提案しようとするものである。
【課題を解決するための手段】
【０００６】
かかる課題を解決するため本発明の媒体幅寄せ装置においては、紙葉状の媒体における紙面と対向する案内面により搬送方向に沿って媒体の搬送路を形成し、搬送路に沿って媒体を案内する搬送ガイドと、搬送方向と直交する搬送幅方向の一方に設けられ、複数の板状部材が重なり媒体における搬送幅方向の搬送範囲を制限する基準面が形成された基準面ガイド部と、複数の板状部材を締結する締結部材と、基準面に媒体を近づけて幅寄せを行う幅寄せローラとを設けるようにした。
【０００７】
本発明は、複数の板状部材に簡易な加工を行った上で、それらを積層し締結部材で締結して容易に組み立てることができる。
【発明の効果】
【０００８】
本発明によれば、複数の板状部材に簡易な加工を行った上で、それらを積層し締結部材で締結して容易に組み立てることができる。かくして本発明は、簡易に製造し得る媒体幅寄せ装置を実現できる。
【図面の簡単な説明】
【０００９】
【図１】小切手処理装置の構成を示す左側面図である。
【図２】アライナ部の構成を示す斜視図である。
【図３】第１の実施の形態による基準面ガイド部の構成（１）を示す分解斜視図である。
【図４】第１の実施の形態によるアライナ部の構成を示し、図２におけるＡ−Ａ矢視断面図である。
【図５】第１の実施の形態による基準面ガイド部の構成（２）を示す正面図である。
【図６】第２の実施の形態による基準面ガイド部の構成を示す正面図である。
【図７】第３の実施の形態による基準面ガイド部の構成を示す正面図である。
【図８】第４の実施の形態による基準面ガイド部の構成を示す正面図である。
【発明を実施するための形態】
【００１０】
以下、発明を実施するための形態（以下実施の形態とする）について、図面を用いて説明する。
【００１１】
［１．第１の実施の形態］
［１−１．小切手処理装置の構成］
図１に示すように小切手処理装置１は、例えば金融機関等に設置され、利用者（すなわち金融機関の顧客）との間で入金処理等の小切手に関する取引を行う小切手受付装置の受付機筐体（図示せず）内に配され、小切手に関する種々の処理を行う。この小切手処理装置１は、全体として直方体状に形成された筐体２の内部に、小切手に関する種々の処理を行う複数の処理ユニットが組み込まれている。以下では、小切手処理装置１のうち顧客が対峙する側を前側とし、その反対を後側とし、当該前側に対峙した顧客から見て左及び右をそれぞれ左側及び右側とし、さらに上側及び下側を定義して説明する。
【００１２】
筐体２内には、小切手処理装置１を制御する制御部３と、利用者との間で小切手を授受するバンドル部１１と、小切手を各部へ搬送する搬送路Ｗと、小切手を所定の基準面へ幅寄せするアライナ部１３と、小切手の画像及び磁気情報を読み取ると共に取引情報の印字を行うスキャナ部１５と、小切手を一時的に収納するエスクロ部１７と、利用者がバンドル部１１から取り忘れた小切手を回収して格納するリトラクト部１８と、利用済みの小切手を収納する２個のスタッカ部２２（２２Ａ及び２２Ｂ）とが設けられている。また筐体２内には、バンドル部１１、アライナ部１３、スキャナ部１５、エスクロ部１７、リトラクト部１８及びスタッカ部２２を支える図示しないフレームが設けられている。
【００１３】
この小切手処理装置１は、制御部３により全体を統括的に制御する。この制御部３は、図示しないＣＰＵ（Central Processing Unit）を中心に構成されており、図示しないＲＯＭ（Read Only Memory）やフラッシュメモリ等から所定のプログラムを読み出して実行することにより、入金取引に関する種々の処理を行う。また制御部３は、内部にＲＡＭ（Random Access Memory）、ハードディスクドライブやフラッシュメモリ等でなる記憶部を有しており、この記憶部に各種プログラムや入金取引に関する種々の情報を記憶させている。また制御部３は、筐体２内部に設けられた各センサの監視や、各アクチュエータの駆動や、各種判断等を行うと共に、小切手受付装置全体を制御する主制御部との通信を行う。因みに小切手受付装置には、制御部３の制御に基づき利用者に向けて種々の情報を表示する表示部（図示せず）や、該利用者の操作指示を受け付けて該制御部３に通知する操作部（図示せず）等も設けられている。
【００１４】
搬送路Ｗは、第１搬送路Ｗ１、第２搬送路Ｗ２、第３搬送路Ｗ３、第４搬送路Ｗ４、第５搬送路Ｗ５、第６搬送路Ｗ６及び第７搬送路Ｗ７により構成されており、図中に実線で示すように筐体２内の各部を接続し、回転するローラや小切手を案内するガイド等が適宜配置されており、小切手の長手方向を進行方向に沿わせて搬送する。
【００１５】
筐体２の上部における前側約半分の部分には、バンドル部１１が配置されている。バンドル部１１の前端には、開閉可能なシャッタ１１Ｓが設けられている。制御部３は、上述した操作部（図示せず）を介して利用者から入金取引の開始を指示する操作を受け付けると、バンドル部１１に対しシャッタ１１Ｓを開放させるよう制御する。
【００１６】
これに応じてバンドル部１１は、利用者に対し束状に集積された小切手ＣＫ（以下これを小切手束ＣＫＢとも呼ぶ）を内部に挿入させ、その後シャッタ１１Ｓを閉塞することにより、内部に保有する小切手ＣＫを保護する。因みに小切手ＣＫは、長方形の紙により構成され、その表面に金額等の情報が表示されている。また小切手束ＣＫＢは、各小切手ＣＫの長辺を前後方向に沿った搬送方向に沿わせ、短辺を搬送方向に直交する左右方向である搬送幅方向に沿わせると共に、金額等が記載された表面を上に向けた姿勢でバンドル部１１に挿入される。
【００１７】
バンドル部１１は、内部に設けられた束搬送機構により前後方向に沿った束搬送路ＷＢを形成しており、小切手束ＣＫＢをこの束搬送路ＷＢに沿って後方向へ搬送し、該バンドル部１１の後端近傍に設けられた分離部１２の前側に到達させる。分離部１２は、小切手束ＣＫＢの上面側から小切手ＣＫを１枚ずつに分離し、後方のアライナ部１３に順次引き渡していく。
【００１８】
アライナ部１３は、主に前後方向に沿う搬送経路である第１搬送路Ｗ１を内部に構成しており、分離部１２から受け取った小切手ＣＫをこの第１搬送路Ｗ１に沿って後方へ順次搬送する。このときアライナ部１３は、該小切手ＣＫを第１搬送路Ｗ１における幅方向の一方、例えば右側に寄せていき、後方及び下方に配置されたスキャナ部１５の第２搬送路Ｗ２に引き渡す。
【００１９】
スキャナ部１５は、アライナ部１３の後方且つ下方に位置しており、上下方向に沿った第２搬送路Ｗ２と、前後方向に沿った第３搬送路Ｗ３と、上下方向に沿った第４搬送路Ｗ４と、第１切替部１４とが内部に形成されている。
【００２０】
第１切替部１４は、制御部３の制御に基づいて小切手ＣＫの搬送経路を切り替えることにより、第２搬送路Ｗ２及び第３搬送路Ｗ３、第２搬送路Ｗ２及び第４搬送路Ｗ４、又は第３搬送路Ｗ３及び第４搬送路Ｗ４を接続する。すなわち第１切替部１４は、アライナ部１３から小切手ＣＫが引き渡されると、第２搬送路Ｗ２及び第３搬送路Ｗ３を接続し、この小切手ＣＫを前方に引き渡す。スキャナ部１５は、第１切替部１４から第３搬送路Ｗ３に沿って小切手ＣＫを前方へ搬送しながら、該小切手ＣＫからＭＩＣＲ（Magnetic ink character recognition）文字を読み取り、また該小切手ＣＫの両面をそれぞれ撮像して画像データを生成した上で、前下側に位置するエスクロ部１７に引き渡す。
【００２１】
エスクロ部１７は、バンドル部１１のほぼ真下に配置されており、その内部に回転するドラムや該ドラムの周側面に巻き付けるテープ、及び小切手ＣＫを搬送するための搬送部等を有している。このエスクロ部１７は、スキャナ部１５から受け取った小切手ＣＫをドラムの周側面近傍へ搬送し、テープと共にドラムの周側面に順次巻き付けることにより、該小切手ＣＫを一時的に保留していく。説明の都合上、ここまでの一連の処理を入金読取処理と呼ぶ。
【００２２】
制御部３は、バンドル部１１に挿入された全ての小切手ＣＫをスキャナ部１５により読み取り終えると、読み取った内容を表す画像や文字等を表示部（図示せず）に表示すると共に、利用者に入金取引を継続するか否かを問い合わせる。
【００２３】
ここで利用者から入金取引の中止が指示されると、制御部３は、エスクロ部１７に保留している全ての小切手ＣＫを利用者に返却させる返却処理を開始する。すなわちエスクロ部１７は、保留していた小切手ＣＫをドラムを逆回転させることにより１枚ずつ繰り出し、スキャナ部１５に引き渡していく。スキャナ部１５及びアライナ部１３は、第３搬送路Ｗ３、第２搬送路Ｗ２及び第１搬送路Ｗ１に沿って小切手ＣＫを入金読取処理と反対方向へ搬送することにより、該小切手ＣＫを分離部１２に順次引き渡す。
【００２４】
分離部１２は、引き渡された小切手ＣＫを前方へ放出することにより、バンドル部１１内に小切手ＣＫを集積していく。バンドル部１１は、分離部１２により小切手ＣＫが放出されて小切手束ＣＫＢが形成されると、シャッタ１１Ｓを開放すると共に集積された小切手束ＣＫＢを束搬送路ＷＢに沿って前方へ搬送し、その前側部分を外部に露出させた状態で挟持する。
【００２５】
ここでバンドル部１１は、組み込まれたセンサにより小切手束ＣＫＢが取り出されたか否か監視している。制御部３は、バンドル部１１のセンサにより小切手束ＣＫＢが取り出されたことを検出した場合、該小切手束ＣＫＢが利用者に返却されたものと判断し、シャッタ１１Ｓを閉塞して返却処理を終了する。
【００２６】
一方、バンドル部１１において所定時間内に小切手束ＣＫＢが取り出されなかった場合、制御部３は、利用者が小切手束ＣＫＢを取り忘れたまま立ち去ったと判断し、この小切手束ＣＫＢを取り込む取忘取込処理を開始する。具体的に制御部３は、入金読取処理の場合と同様、バンドル部１１により小切手束ＣＫＢを後方へ搬送し、分離部１２により再び１枚ずつの小切手ＣＫに分離し、アライナ部１３及びスキャナ部１５により第１搬送路Ｗ１及び第２搬送路Ｗ２に沿って第１切替部１４まで搬送させる。
【００２７】
このとき第１切替部１４は、制御部３の制御により第２搬送路Ｗ２及び第４搬送路Ｗ４を繋ぐように内部の搬送経路を切り替えており、第２搬送路Ｗ２から受け取った小切手ＣＫを下方の第４搬送路Ｗ４に引き渡す。第４搬送路Ｗ４は、上下方向に沿って形成されており、第１切替部１４から受け取った小切手ＣＫを下方へ搬送し、下側の第２切替部１６に引き渡す。
【００２８】
第２切替部１６は、制御部３の制御に基づいて内部の搬送経路を切り替えることにより、第４搬送路Ｗ４及びリトラクト部１８、又は第４搬送路Ｗ４及び第５搬送路Ｗ５を繋ぐ。例えば第２切替部１６は、第４搬送路Ｗ４及び第５搬送路Ｗ５を接続するように内部の搬送経路を切り替えていた場合、第４搬送路Ｗ４から受け取った小切手ＣＫを後搬送部１９に引き渡す。
【００２９】
このとき第２切替部１６は、制御部３の制御により第４搬送路Ｗ４及びリトラクト部１８を繋ぐように内部の搬送経路を切り替えており、スキャナ部１５から受け取った小切手ＣＫを前下方のリトラクト部１８に引き渡す。リトラクト部１８は、スキャナ部１５のほぼ真下に配置されており、内部に小切手ＣＫを収納する収納空間を形成すると共に、小切手ＣＫをこの収納空間へ放出する放出機構を有している。このリトラクト部１８は、第２切替部１６から受け取った小切手ＣＫを放出機構により放出空間内へ順次放出し、該小切手ＣＫを該放出空間内に集積させた状態で収納する。これにより制御部３は、取忘取込処理を終了する。
【００３０】
一方制御部３は、入金読取処理によってエスクロ部１７に全ての小切手ＣＫを保留した状態で、利用者から入金取引の継続が指示されると、保留している小切手ＣＫを収納する収納処理を開始する。具体的にエスクロ部１７は、ドラムを逆回転させることにより保留していた小切手ＣＫを１枚ずつ繰り出し、スキャナ部１５に引き渡していく。
【００３１】
スキャナ部１５は、エスクロ部１７から順次受け取った小切手ＣＫを第３搬送路Ｗ３に沿って後方へ搬送しながら、内蔵するプリンタやスタンプ押印部により該小切手ＣＫに対し取引結果等を表す情報を印字すると共にその画像を撮像して印字状態を認識した上で、該小切手ＣＫを第１切替部１４に引き渡す。
【００３２】
このとき第１切替部１４は、制御部３の制御により第３搬送路Ｗ３及び第４搬送路Ｗ４を繋ぐように内部の搬送経路を切り替えており、第３搬送路Ｗ３から受け取った小切手ＣＫを第４搬送路Ｗ４に引き渡す。第４搬送路Ｗ４は、第１切替部１４から受け取った小切手ＣＫを下方へ搬送し、下側の第２切替部１６に引き渡す。
【００３３】
このとき第２切替部１６は、制御部３の制御により第４搬送路Ｗ４及び第５搬送路Ｗ５を繋ぐように内部の搬送経路を切り替えており、スキャナ部１５から受け取った小切手ＣＫを後搬送部１９に引き渡す。
【００３４】
後搬送部１９は、第４搬送路Ｗ４と第６搬送路Ｗ６とを結ぶように第５搬送路Ｗ５を形成しており、第２切替部１６から受け取った小切手ＣＫを前下方へ搬送し、その前下方に設けられた第１スタッカ部２２Ａに引き渡す。第１スタッカ部２２Ａは、筐体２に対し着脱可能であり内部に多数の小切手ＣＫを集積した状態で収納可能なスタッカや、該スタッカ内へ小切手ＣＫを放出する放出機構等を有している。また第１スタッカ部２２Ａは、前後方向に沿った第６搬送路Ｗ６が内部に形成されている。この第１スタッカ部２２Ａは、後搬送部１９から小切手ＣＫを受け取ると、該小切手ＣＫを放出機構により放出し、スタッカ内に集積した状態で収納する。
【００３５】
また第１スタッカ部２２Ａは、制御部３の制御に基づき、第２スタッカ部２２Ｂに小切手ＣＫを収納する場合、後搬送部１９から受け取った小切手ＣＫを、第６搬送路Ｗ６を搬送させて前側の第２スタッカ部２２Ｂに引き渡す。第２スタッカ部２２Ｂは、第１スタッカ部２２Ａと同様に構成されており、前後方向に沿った第７搬送路Ｗ７が内部に形成されている。第２スタッカ部２２Ｂは、第１スタッカ部２２Ａから小切手ＣＫを受け取ると、該小切手ＣＫを放出機構により放出し、スタッカ内に集積して収納する。
【００３６】
かくして制御部３は、エスクロ部１７に保留していた全ての小切手ＣＫを第１スタッカ部２２Ａ又は第２スタッカ部２２Ｂのスタッカ内に収納させると、収納処理を終了する。これにより制御部３は、利用者との間における小切手ＣＫの入金取引を完了する。
【００３７】
［１−２．アライナ部の構成］
図２、図３及び図４に示すようにアライナ部１３には、小切手ＣＫの厚み方向への移動を規制する、第１搬送路Ｗ１の上側に配置された上側搬送ガイド３０Ｕと、第１搬送路Ｗ１の下側に配置された下側搬送ガイド３０Ｄと、小切手ＣＫの搬送幅方向の片側の側面の位置を規制する基準面ガイド部６０とが配置されている。以下では上側搬送ガイド３０Ｕ及び下側搬送ガイド３０Ｄをまとめて搬送ガイド３０とも呼ぶ。搬送ガイド３０には、該搬送ガイド３０に取り付けられたローラ類を第１搬送路Ｗ１上に突出させる孔部が穿設されている。また以下では、アライナ部１３における基準面ガイド部６０の基準面ガイド３２に近接する側（すなわち右側）を基準面側とも呼び、基準面ガイド３２から離隔する側（すなわち左側）を反基準面側とも呼ぶ。なお図２及び図３においては上側搬送ガイド３０Ｕを図示せず省略している。
【００３８】
搬送第１ローラ３４は、アライナ部１３における搬送方向の最上流側において第１搬送路Ｗ１の上側に設けられている。この搬送第１ローラ３４は、左右方向に沿うドライブシャフト３６を軸に回転可能に上側搬送ガイド３０Ｕに取り付けられている。ドライブシャフト３６は、図示しない機構により、分離部１２（図１）のフィードローラと駆動力が連結されている。搬送第１ローラ３４は、外周面の一部を上側搬送ガイド３０Ｕに形成された孔部から第１搬送路Ｗ１に突出させている。
【００３９】
プレスローラ３８は、搬送第１ローラ３４と対向するよう第１搬送路Ｗ１の下側に設けられている。このプレスローラ３８は、左右方向を軸に回転可能で且つ上下方向に移動可能に下側搬送ガイド３０Ｄに取り付けられている。プレスローラ３８は、外周面の一部を下側搬送ガイド３０Ｄに形成された孔部から第１搬送路Ｗ１に突出させている。またプレスローラ３８は、図示しない圧縮ばねである付勢部材により上方向に付勢され、搬送第１ローラ３４に押し付けられている。
【００４０】
搬送ローラ組４０Ａは、搬送第１ローラ３４よりも搬送方向下流側に設けられている。この搬送ローラ組４０Ａは、第１搬送路Ｗ１の下側に設けられた搬送駆動ローラと、第１搬送路Ｗ１の上側に設けられた搬送プレスローラとで小切手ＣＫを挟んで前後方向である搬送方向に沿って搬送する。
【００４１】
搬送ローラ組４０Ｂは、搬送ローラ組４０Ａよりも、小切手処理装置１において取り扱われる小切手ＣＫのうち搬送方向の長さが最小の小切手である最小搬送長さ小切手の長辺の長さである最小長辺長さよりも搬送方向に沿って短い間隔を空けて搬送方向下流側に配置されている。この搬送ローラ組４０Ｂは、搬送ローラ組４０Ａと同様に構成されている。以下では搬送ローラ組４０Ａ及び４０Ｂをまとめて搬送ローラ組４０とも呼ぶ。
【００４２】
幅寄せローラ対４８Ａは、第１搬送路Ｗ１における搬送路幅の中央に配置されている。幅寄せローラ対４８Ａは、回転中心である中心軸の軸方向である幅寄せローラ軸方向と直交する方向である幅寄せローラ搬送方向が、搬送方向下流側に向かうに連れて搬送方向に対して所定角度で基準面ガイド３２に向かうように傾いている。この幅寄せローラ対４８Ａは、第１搬送路Ｗ１の下側に設けられた幅寄せ駆動ローラと、第１搬送路Ｗ１の上側に設けられた幅寄せプレスローラとで小切手ＣＫを挟んで幅寄せローラ搬送方向に沿って搬送する。
【００４３】
幅寄せローラ対４８Ｂは、搬送ローラ組４０Ａと搬送ローラ組４０Ｂとの間において、基準面ガイド３２と幅寄せローラ対４８Ａとの間の搬送幅方向の位置に配置されている。幅寄せローラ対４８Ａと幅寄せローラ対４８Ｂとは、最小長辺長さよりも搬送方向に沿って短い間隔を空けて配置されている。この幅寄せローラ対４８Ｂは、幅寄せローラ対４８Ａと同様に構成されている。以下では幅寄せローラ対４８Ａ及び４８Ｂをまとめて幅寄せローラ対４８とも呼ぶ。
【００４４】
第１センサ５４は、搬送第１ローラ３４よりも搬送方向下流側の直後において、第１搬送路Ｗ１における搬送幅方向の中央に配置されており、第１搬送路Ｗ１を挟んで上下に対向して構成され、小切手ＣＫを検出する。第１センサ５４が小切手ＣＫの搬送方向後端を検出すると、制御部３は、該小切手ＣＫがアライナ部１３内に入り切ったと判断することにより、幅寄せ搬送を開始するトリガーとして第１センサ５４を用いる。
【００４５】
幅寄せ完了検知センサ５６Ａ、５６Ｂ及び５６Ｃは、基準面ガイド部６０において搬送方向上流側から搬送方向下流側にかけて搬送方向に沿って３つ配置されており、第１搬送路Ｗ１を挟んで上下に対向して構成され、小切手ＣＫを検出する。幅寄せ完了検知センサ５６Ａ、５６Ｂ及び５６Ｃの３つのうち２つ以上が同時に小切手ＣＫを検出すると、制御部３は、該小切手ＣＫの基準面ガイド３２への幅寄せが完了したと判断する。以下では幅寄せ完了検知センサ５６Ａ、５６Ｂ及び５６Ｃをまとめて幅寄せ完了検知センサ５６とも呼ぶ。
【００４６】
［１−３．基準面ガイド部の構成］
図２、図３、図４及び図５に示すように基準面ガイド部６０は、基準面ガイド３２、基準近傍搬送ガイド６２、下側搬送ガイド３０Ｄ、上側補助ガイド６４Ｕ及び下側補助ガイド６４Ｄが隙間なく積層されることにより構成されている。これら基準面ガイド３２、基準近傍搬送ガイド６２、下側搬送ガイド３０Ｄ、上側補助ガイド６４Ｕ及び下側補助ガイド６４Ｄは、薄く平らに成形された金属である板金を切断加工することにより形成されている。
【００４７】
基準面ガイド３２は、小切手ＣＫの厚さよりも厚く形成されており、第１搬送路Ｗ１と搬送幅方向に沿って対向し搬送方向に沿って延び、小切手ＣＫの基準面側の側面を規制する基準面３２Ｓが形成されている。基準面３２Ｓは、小切手ＣＫの厚み方向である上下方向と搬送方向とに沿って平面形状に形成されていることにより、小切手ＣＫが接触した際に引っ掛からせずに滑らかに搬送させる。
【００４８】
基準近傍搬送ガイド６２は、基準面ガイド３２の上側に配されており、基準面ガイド３２よりも薄く形成されている。この基準近傍搬送ガイド６２は、基準面ガイド３２よりも基準面３２Ｓから離隔する左方向へ突出しており、下面に形成された搬送方向及び搬送幅方向に沿って平坦な近傍搬送ガイド面６２Ｓにより、小切手ＣＫの基準面側端部における上面を案内し、厚み方向の一方である上方向を規制する。また基準近傍搬送ガイド６２は、上側搬送ガイド３０Ｕの基準面側端部と搬送幅方向に沿って対向している。このようにアライナ部１３は、基準近傍搬送ガイド６２を上側搬送ガイド３０Ｕとは別体で形成することにより、上側搬送ガイド３０Ｕを基準近傍搬送ガイド６２に対し可動可能とし、第１搬送路Ｗ１を外部に開放可能としている。
【００４９】
下側搬送ガイド３０Ｄは、基準面ガイド３２の下側に配されており、基準面ガイド３２よりも薄く、基準近傍搬送ガイド６２とほぼ同等の厚さに形成されている。この下側搬送ガイド３０Ｄは、基準面ガイド３２よりも基準面３２Ｓから離隔する左方向へ突出しており、上面に形成された搬送方向及び搬送幅方向に沿って平坦な下側搬送ガイド面３０ＤＳにより、小切手ＣＫの基準面側端部における下面を案内し、厚み方向の他方である下方向を規制する。また下側搬送ガイド３０Ｄは、第１搬送路Ｗ１の搬送幅方向の反基準面側から基準面側までに亘って物理的に連続して形成されている。
【００５０】
このように基準面ガイド部６０は、基準近傍搬送ガイド６２及び下側搬送ガイド３０Ｄが基準面ガイド３２よりも搬送幅方向に広く形成されており、基準面ガイド３２よりも基準面３２Ｓから離隔する左方向へ突出することにより、前方から見てコの字形状になっており、小切手ＣＫの基準面側端部における側面と上面と下面とをガイドする。
【００５１】
上側補助ガイド６４Ｕは、基準近傍搬送ガイド６２の上側、すなわち基準近傍搬送ガイド６２に対し基準面ガイド３２から離隔する側に配されている。この上側補助ガイド６４Ｕは、基準近傍搬送ガイド６２及び下側搬送ガイド３０Ｄよりも厚く形成されることにより、基準近傍搬送ガイド６２及び下側搬送ガイド３０Ｄよりも剛性が高く強固になっている。上側補助ガイド６４Ｕは、後述する固定ネジ６６で基準近傍搬送ガイド６２及び基準面ガイド３２に締結されることにより、基準近傍搬送ガイド６２を基準面ガイド３２に押し付け、基準近傍搬送ガイド６２における搬送方向に沿った反りを矯正する。これにより上側補助ガイド６４Ｕは、基準近傍搬送ガイド６２における搬送方向に沿った平面度のばらつきにより基準近傍搬送ガイド６２と基準面ガイド３２との間に隙間ができてしまうことを防止する。
【００５２】
下側補助ガイド６４Ｄは、下側搬送ガイド３０Ｄの下側、すなわち下側搬送ガイド３０Ｄに対し基準面ガイド３２から離隔する側に配されている。この下側補助ガイド６４Ｄは、基準近傍搬送ガイド６２及び下側搬送ガイド３０Ｄよりも厚く、上側補助ガイド６４Ｕとほぼ同等の厚さに形成されることにより、基準近傍搬送ガイド６２及び下側搬送ガイド３０Ｄよりも剛性が高く強固になっている。下側補助ガイド６４Ｄは、後述する固定ネジ６６で下側搬送ガイド３０Ｄ及び基準面ガイド３２に締結されることにより、下側搬送ガイド３０Ｄを基準面ガイド３２に押し付け、下側搬送ガイド３０Ｄおける搬送方向に沿った反りを矯正する。これにより下側補助ガイド６４Ｄは、下側搬送ガイド３０Ｄにおける搬送方向に沿った平面度のばらつきにより下側搬送ガイド３０Ｄと基準面ガイド３２との間に隙間ができてしまうことを防止する。
【００５３】
以下では上側補助ガイド６４Ｕ及び下側補助ガイド６４Ｄをまとめて補助ガイド６４とも呼ぶ。このように補助ガイド６４は、基準近傍搬送ガイド６２及び下側搬送ガイド３０Ｄを基準面ガイド３２に押し付けることにより、基準近傍搬送ガイド６２及び下側搬送ガイド３０Ｄと基準面ガイド３２との間の隙間をなくす。
【００５４】
基準面ガイド３２、基準近傍搬送ガイド６２、下側搬送ガイド３０Ｄ、上側補助ガイド６４Ｕ及び下側補助ガイド６４Ｄは、搬送方向に沿って間隔を空けて５個配された固定ネジ６６Ａ、６６Ｂ、６６Ｃ、６６Ｄ及び６６Ｅにより互いに隙間なく締結されている。以下では固定ネジ６６Ａ、６６Ｂ、６６Ｃ、６６Ｄ及び６６Ｅをまとめて固定ネジ６６とも呼ぶ。
【００５５】
［１−４．動作］
かかる構成において小切手処理装置１は、バンドル部１１に小切手束ＣＫＢが投入されると、該小切手束ＣＫＢを分離部１２の前側に到達させ、分離部１２により小切手ＣＫを１枚ずつアライナ部１３に送出する。
【００５６】
アライナ部１３に小切手ＣＫが搬送されたとき、制御部３は、小切手ＣＫの搬送方向後端を第１センサ５４により検出すると、幅寄せローラ対４８により小切手ＣＫを搬送方向下流側に向かって搬送しつつ基準面ガイド部６０における基準面ガイド３２の基準面３２Ｓに向かう右方である幅寄せ方向に向かって搬送する幅寄せ搬送を開始する。その後制御部３は、小切手ＣＫが基準面ガイド３２の基準面３２Ｓに沿って突き当たっており幅寄せされているか否かを幅寄せ完了検知センサ５６Ａ、５６Ｂ及び５６Ｃにより確認する。ここで制御部３は、幅寄せ完了検知センサ５６Ａ、５６Ｂ及び５６Ｃの３つのセンサの内２つ以上の幅寄せ完了検知センサ５６で小切手ＣＫを検出した場合にのみ、幅寄せ完了と判断する。制御部３は、幅寄せ完了と判断した場合には、そのまま搬送方向下流側へ小切手ＣＫを搬送する。
【００５７】
一方制御部３は、小切手ＣＫが基準面ガイド３２の基準面３２Ｓに沿って幅寄せされていることを幅寄せ完了検知センサ５６Ａ、５６Ｂ及び５６Ｃにより検出しなかった場合、幅寄せローラ対４８により小切手ＣＫをクランプする。
【００５８】
ここで、小切手ＣＫがスキューしている状態で、幅寄せローラ対４８によって基準面ガイド３２に沿って幅寄せされた小切手ＣＫは、小切手ＣＫの搬送方向先端又は搬送方向後端の角部のみが基準面ガイド３２に突き当たる。その後制御部３は、幅寄せローラ対４８により小切手ＣＫを平面視で時計回り又は反時計回りに回転させながら幅寄せ搬送を行い、小切手ＣＫを基準面ガイド３２に沿わせて突き当てる。このときアライナ部１３は、基準面ガイド３２、基準近傍搬送ガイド６２及び下側搬送ガイド３０Ｄにより、幅寄せ方向と上下に向かう方向との３方向を規制しているため、小切手ＣＫを基準面ガイド３２に沿わせて整列する。
【００５９】
制御部３は、幅寄せ完了検知センサ５６の検出結果により幅寄せ完了と判断すると、基準面ガイド３２に沿って突き当てた状態を保ちながら搬送方向下流側へ小切手ＣＫを搬送する。
【００６０】
［１−５．効果等］
以上の構成においてアライナ部１３は、それぞれが薄い金属板で形成された基準面ガイド３２、第１の搬送ガイドとしての基準近傍搬送ガイド６２、第２の搬送ガイドとしての下側搬送ガイド３０Ｄ、第１の補助ガイドとしての上側補助ガイド６４Ｕ及び第２の補助ガイドとしての下側補助ガイド６４Ｄを層状に積層し固定ネジ６６で締結することにより、基準面ガイド部６０を形成するようにした。
【００６１】
このようにアライナ部１３は、基準面ガイド３２、基準近傍搬送ガイド６２、下側搬送ガイド３０Ｄ、上側補助ガイド６４Ｕ及び下側補助ガイド６４Ｄがそれぞれ薄い金属板であるため、それぞれを穴あけや屈曲等の汎用的な加工方法で容易に加工されることができる。
【００６２】
またアライナ部１３は、汎用的な加工方法で容易に加工した基準面ガイド３２、基準近傍搬送ガイド６２、下側搬送ガイド３０Ｄ、上側補助ガイド６４Ｕ及び下側補助ガイド６４Ｄが固定ネジ６６により締結されるだけであるため、容易に組み立てを行われることができる。
【００６３】
また従来のように鋳造で製造したり、金属ブロックを削り出して製造したり、専用の絞り金型を使って製造したりする場合、金型投資が必要であるため膨大なコストが掛かってしまった。これに対しアライナ部１３は、汎用的な加工方法で容易に加工した基準面ガイド３２、基準近傍搬送ガイド６２、下側搬送ガイド３０Ｄ、上側補助ガイド６４Ｕ及び下側補助ガイド６４Ｄを固定ネジ６６により締結するだけであるため、金型投資を不要にでき、低廉化できる。
【００６４】
またアライナ部１３は、基準面ガイド部６０全体を一体で成形するのではなく、基準面ガイド３２、基準近傍搬送ガイド６２、下側搬送ガイド３０Ｄ、上側補助ガイド６４Ｕ及び下側補助ガイド６４Ｄをそれぞれ別体で構成するようにした。このためアライナ部１３は、固定ネジ６６による締結を解除すれば、基準面ガイド３２、基準近傍搬送ガイド６２、下側搬送ガイド３０Ｄ、上側補助ガイド６４Ｕ及び下側補助ガイド６４Ｄを分解して個別に外すことができる。これによりアライナ部１３は、小切手ＣＫが接触することにより基準面３２Ｓが摩耗した基準面ガイド３２のみを交換できる。
【００６５】
またアライナ部１３は、基準近傍搬送ガイド６２を固定ネジ６６で基準面ガイド３２に締結するようにした。このためアライナ部１３は、基準近傍搬送ガイド６２を基準面ガイド３２に隙間なく結合できる。これによりアライナ部１３は、基準近傍搬送ガイド６２と基準面ガイド３２との間の隙間に小切手ＣＫの端部が入り込んで詰まってしまうこと防止できる。
【００６６】
さらにアライナ部１３は、下側搬送ガイド３０Ｄを固定ネジ６６で基準面ガイド３２に締結するようにした。このためアライナ部１３は、下側搬送ガイド３０Ｄを基準面ガイド３２に隙間なく結合できる。これによりアライナ部１３は、下側搬送ガイド３０Ｄと基準面ガイド３２との間の隙間に小切手ＣＫの端部が入り込んで詰まってしまうこと防止できる。
【００６７】
またアライナ部１３は、基準近傍搬送ガイド６２を上側補助ガイド６４Ｕで基準面ガイド３２に押し付けるようにした。このためアライナ部１３は、基準近傍搬送ガイド６２における搬送方向に沿った平面度のばらつきにより基準近傍搬送ガイド６２と基準面ガイド３２との間に隙間ができてしまうことを防止する。これによりアライナ部１３は、隣り合う固定ネジ６６同士の間において発生しやすい、基準近傍搬送ガイド６２と基準面ガイド３２との間の隙間に、小切手ＣＫの端部が入り込んで詰まってしまうことをより一層防止できる。
【００６８】
さらにアライナ部１３は、下側搬送ガイド３０Ｄを下側補助ガイド６４Ｄで基準面ガイド３２に押し付けるようにした。このためアライナ部１３は、下側搬送ガイド３０Ｄにおける搬送方向に沿った平面度のばらつきにより下側搬送ガイド３０Ｄと基準面ガイド３２との間に隙間ができてしまうことを防止する。これによりアライナ部１３は、隣り合う固定ネジ６６同士の間において発生しやすい、下側搬送ガイド３０Ｄと基準面ガイド３２との間の隙間に小切手ＣＫの端部が入り込んで詰まってしまうことをより一層防止できる。
【００６９】
以上の構成によれば小切手処理装置１は、紙葉状の媒体としての小切手ＣＫにおける紙面と対向する案内面により搬送方向に沿って小切手ＣＫの第１搬送路Ｗ１を形成し、第１搬送路Ｗ１に沿って小切手ＣＫを案内する搬送ガイド３０と、搬送方向と直交する搬送幅方向の一方に設けられ、複数の板状部材である基準面ガイド３２、基準近傍搬送ガイド６２、下側搬送ガイド３０Ｄ、上側補助ガイド６４Ｕ及び下側補助ガイド６４Ｄが重なり小切手ＣＫにおける搬送幅方向の搬送範囲を制限する基準面３２Ｓが形成された基準面ガイド部６０と、複数の板状部材を締結する固定ネジ６６と、基準面３２Ｓに小切手ＣＫを近づけて幅寄せを行う幅寄せローラ対４８とを設けるようにした。
【００７０】
これにより小切手処理装置１は、複数の板状部材である基準面ガイド３２、基準近傍搬送ガイド６２、下側搬送ガイド３０Ｄ、上側補助ガイド６４Ｕ及び下側補助ガイド６４Ｄに簡易な加工を行った上で、それらを積層し固定ネジ６６で締結して容易に組み立てることができる。
【００７１】
［２．第２の実施の形態］
［２−１．小切手処理装置の構成］
図１に示すように、第２の実施の形態による小切手処理装置１０１は、第１の実施の形態による小切手処理装置１と比較して、アライナ部１３に代えてアライナ部１１３が設けられている点が異なっているものの、それ以外は同様に構成されている。
【００７２】
［２−２．アライナ部の構成］
図２に示すように、第２の実施の形態によるアライナ部１１３は、第１の実施の形態によるアライナ部１３と比較して、基準面ガイド部６０に代えて基準面ガイド部１６０が設けられている点が異なっているものの、それ以外は同様に構成されている。
【００７３】
［２−３．基準面ガイド部の構成］
図５と対応する部材に同一符号を付した図６に示すように、第２の実施の形態による基準面ガイド部１６０は第１の実施の形態による基準面ガイド部６０と比較して、基準近傍搬送ガイド１６２が基準近傍搬送ガイド６２と、下側搬送ガイド１３０Ｄが下側搬送ガイド３０Ｄと異なっているものの、それ以外は同様に構成されている。
【００７４】
基準近傍搬送ガイド１６２には、基準面３２Ｓの近傍に突起７０Ｕが形成されている。突起７０Ｕは、近傍搬送ガイド面６２Ｓから下側搬送ガイド１３０Ｄに向かって突出する円錐形状であり、搬送方向に沿って間隔を空けて離散的に複数個が形成されている。
【００７５】
この突起７０Ｕには、反基準面側から基準面側へ近接するに連れて正面視で直線状に高さが高くなる案内面７０ＵＳが形成されている。この案内面７０ＵＳに沿う案内面延長線７０ＵＥは、基準面ガイド３２における厚み方向の中央部と交差している。
【００７６】
下側搬送ガイド１３０Ｄには、基準面３２Ｓの近傍における突起７０Ｕと対向する位置に突起７０Ｄが形成されている。突起７０Ｄは、下側搬送ガイド面３０ＤＳから基準近傍搬送ガイド１６２に向かって突出する円錐形状であり、搬送方向に沿って間隔を空けて離散的に複数個が形成されている。
【００７７】
この突起７０Ｄには、反基準面側から基準面側へ近接するに連れて正面視で直線状に高さが高くなる案内面７０ＤＳが形成されている。この案内面７０ＤＳに沿う案内面延長線７０ＤＥは、基準面ガイド３２における厚み方向の中央部と交差している。
【００７８】
この突起７０Ｕと突起７０Ｄとは、小切手処理装置１０１において取り扱われる小切手ＣＫのうち最も厚い小切手である最厚小切手の厚さである最大小切手厚さよりも互いの先端が広い間隔を空けている。以下では突起７０Ｕ及び７０Ｄをまとめて突起７０とも呼び、案内面７０ＵＳ及び７０ＤＳをまとめて案内面７０Ｓとも呼び、案内面延長線７０ＵＥ及び７０ＤＥをまとめて案内面延長線７０Ｅとも呼ぶ。
【００７９】
［２−４．動作］
図６に示すように、小切手ＣＫが幅寄せ方向に搬送されると、突起７０に到達する。このとき下側搬送ガイド１３０Ｄに沿って搬送された小切手ＣＫは、基準面側端部が突起７０Ｄに乗り上がり案内面７０ＤＳに案内されて、基準面ガイド３２の厚み方向の中央部に突き当たる。一方小切手ＣＫが基準近傍搬送ガイド１６２に沿って搬送された場合、該小切手ＣＫは、基準面側端部が突起７０Ｕに乗り上がり案内面７０ＵＳに案内されて、基準面ガイド３２の厚み方向の中央部に突き当たる。
【００８０】
［２−５．効果等］
以上の構成においてアライナ部１１３は、基準近傍搬送ガイド１６２における基準面３２Ｓの近傍に第１の突出部としての突起７０Ｕを、下側搬送ガイド１３０Ｄにおける基準面３２Ｓの近傍に第２の突出部としての突起７０Ｄをそれぞれ形成し、小切手ＣＫの基準面側端部を下側搬送ガイド面３０ＤＳ及び近傍搬送ガイド面６２Ｓから持ち上げるようにした。このためアライナ部１１３は、基準近傍搬送ガイド１６２と基準面ガイド３２との境目と、下側搬送ガイド１３０Ｄと基準面ガイド３２との境目とに、小切手ＣＫの基準面側端部が到来することを低減でき、板金部品の境目に小切手ＣＫが突き当たる頻度を低減できる。これによりアライナ部１１３は、小切手ＣＫの基準面側端部が基準近傍搬送ガイド１６２と基準面ガイド３２との境目又は下側搬送ガイド１３０Ｄと基準面ガイド３２との境目に引っ掛かってジャムが発生してしまうことを防止し、搬送品質を向上できる。
【００８１】
またアライナ部１１３は、案内面延長線７０Ｅを、基準面ガイド３２における厚み方向の中央部と交差させるようにした。このためアライナ部１１３は、小切手ＣＫの基準面側端部を、基準近傍搬送ガイド１６２及び下側搬送ガイド１３０Ｄと基準面ガイド３２との境目から離隔する基準面ガイド３２の厚み方向のほぼ中央部に突き当てることができる。
【００８２】
その他第２の実施の形態によるアライナ部１１３は、第１の実施の形態によるアライナ部１３とほぼ同様の作用効果を奏する。
【００８３】
［３．第３の実施の形態］
［３−１．小切手処理装置の構成］
図１に示すように、第３の実施の形態による小切手処理装置２０１は、第２の実施の形態による小切手処理装置１０１と比較して、アライナ部１１３に代えてアライナ部２１３が設けられている点が異なっているものの、それ以外は同様に構成されている。
【００８４】
［３−２．アライナ部の構成］
図２に示すように、第３の実施の形態によるアライナ部２１３は、第２の実施の形態によるアライナ部１１３と比較して、基準面ガイド部１６０に代えて基準面ガイド部２６０が設けられている点が異なっているものの、それ以外は同様に構成されている。
【００８５】
［３−３．基準面ガイド部の構成］
図６と対応する部材に同一符号を付した図７に示すように、第３の実施の形態による基準面ガイド部２６０は第２の実施の形態による基準面ガイド部１６０と比較して、基準近傍搬送ガイド２６２が基準近傍搬送ガイド１６２と、下側搬送ガイド２３０Ｄが下側搬送ガイド１３０Ｄと異なっているものの、それ以外は同様に構成されている。
【００８６】
基準近傍搬送ガイド２６２には、基準面３２Ｓの近傍にモヘアやブラシ等の毛状のガイドである毛状部材７２Ｕが固定されている。毛状部材７２Ｕは、近傍搬送ガイド面６２Ｓから下側搬送ガイド２３０Ｄに向かって突出しており、搬送方向に沿って第１搬送路Ｗ１の搬送方向上流側から搬送方向下流側までに亘って連続的に形成されている。
【００８７】
下側搬送ガイド２３０Ｄには、基準面３２Ｓの近傍における毛状部材７２Ｕと対向する位置に毛状部材７２Ｕと同様の毛状部材７２Ｄが固定されている。毛状部材７２Ｄは、下側搬送ガイド面３０ＤＳから基準近傍搬送ガイド２６２に向かって突出しており、搬送方向に沿って第１搬送路Ｗ１の搬送方向上流側から搬送方向下流側までに亘って連続的に形成されている。
【００８８】
この毛状部材７２Ｕと毛状部材７２Ｄとは、最大小切手厚さよりも互いの先端が広い間隔を空けている。以下では毛状部材７２Ｕ及び７２Ｄをまとめて毛状部材７２とも呼ぶ。
【００８９】
［３−４．動作］
図７に示すように、小切手ＣＫが幅寄せ方向に搬送されると、毛状部材７２に到達する。このとき下側搬送ガイド２３０Ｄに沿って搬送された小切手ＣＫは、基準面側端部が毛状部材７２Ｄに乗り上がり、基準面ガイド３２の厚み方向の中央部に突き当たる。一方小切手ＣＫが基準近傍搬送ガイド２６２に沿って搬送された場合、該小切手ＣＫは、基準面側端部が毛状部材７２Ｕに乗り上がり、基準面ガイド３２の厚み方向の中央部に突き当たる。
【００９０】
［３−５．効果等］
以上の構成においてアライナ部２１３は、基準近傍搬送ガイド２６２における基準面３２Ｓの近傍に第１の突出部としての毛状部材７２Ｕを、下側搬送ガイド２３０Ｄにおける基準面３２Ｓの近傍に第２の突出部としての毛状部材７２Ｄをそれぞれ形成し、小切手ＣＫの基準面側端部を下側搬送ガイド面３０ＤＳ及び近傍搬送ガイド面６２Ｓから持ち上げるようにした。このためアライナ部２１３は、基準近傍搬送ガイド２６２と基準面ガイド３２との境目と、下側搬送ガイド２３０Ｄと基準面ガイド３２との境目とに、小切手ＣＫの基準面側端部が到来することを低減でき、板金部品の境目に小切手ＣＫが突き当たる頻度を低減できる。これによりアライナ部２１３は、小切手ＣＫの基準面側端部が基準近傍搬送ガイド２６２と基準面ガイド３２との境目又は下側搬送ガイド２３０Ｄと基準面ガイド３２との境目に引っ掛かってジャムが発生してしまうことを防止し、搬送品質を向上できる。
【００９１】
またアライナ部２１３は、毛状部材７２を搬送方向に沿って第１搬送路Ｗ１の搬送方向上流側から搬送方向下流側までに亘って連続的に形成するようにした。これによりアライナ部２１３は、毛状部材７２を搬送方向に沿って間隔を空けて離散的に形成する場合と比較して、隣り合う毛状部材７２同士の間を小切手ＣＫがすり抜けてしまうことを防止できる。
【００９２】
その他第３の実施の形態によるアライナ部２１３は、第２の実施の形態によるアライナ部２１３とほぼ同様の作用効果を奏する。
【００９３】
［４．第４の実施の形態］
［４−１．小切手処理装置の構成］
図１に示すように、第４の実施の形態による小切手処理装置３０１は、第２の実施の形態による小切手処理装置１０１と比較して、アライナ部１１３に代えてアライナ部３１３が設けられている点が異なっているものの、それ以外は同様に構成されている。
【００９４】
［４−２．アライナ部の構成］
図２に示すように、第４の実施の形態によるアライナ部３１３は、第２の実施の形態によるアライナ部１１３と比較して、基準面ガイド部１６０に代えて基準面ガイド部３６０が設けられている点が異なっているものの、それ以外は同様に構成されている。
【００９５】
［４−３．基準面ガイド部の構成］
図６と対応する部材に同一符号を付した図８に示すように、第４の実施の形態による基準面ガイド部３６０は、第２の実施の形態による基準面ガイド部１６０と比較して、基準近傍搬送ガイド３６２が基準近傍搬送ガイド１６２と、下側搬送ガイド３３０Ｄが下側搬送ガイド１３０Ｄと異なっているものの、それ以外は同様に構成されている。
【００９６】
基準近傍搬送ガイド３６２には、基準面３２Ｓの近傍にリブ７４Ｕが形成されている。リブ７４Ｕは、基準近傍搬送ガイド３６２の平板状部分が曲げられたり絞り加工をされたりすることにより屈曲するよう変形して近傍搬送ガイド面６２Ｓから下側搬送ガイド３３０Ｄに向かって突出しており、搬送方向に沿って第１搬送路Ｗ１の搬送方向上流側から搬送方向下流側までに亘って連続的に形成されている。
【００９７】
このリブ７４Ｕには、反基準面側から基準面側へ近接するに連れて正面視で直線状に高さが高くなる案内面７４ＵＳが形成されている。この案内面７４ＵＳに沿う案内面延長線７４ＵＥは、基準面ガイド３２における厚み方向の中央部と交差している。
【００９８】
下側搬送ガイド２３０Ｄには、基準面３２Ｓの近傍におけるリブ７４Ｕと対向する位置にリブ７４Ｕと同様のリブ７４Ｄが形成されている。リブ７４Ｄは、下側搬送ガイド３３０Ｄの平板状部分が曲げられたり絞り加工をされたりすることにより屈曲するよう変形して下側搬送ガイド面３０ＤＳから基準近傍搬送ガイド３６２に向かって突出しており、搬送方向に沿って第１搬送路Ｗ１の搬送方向上流側から搬送方向下流側までに亘って連続的に形成されている。
【００９９】
このリブ７４Ｄには、反基準面側から基準面側へ近接するに連れて正面視で直線状に高さが高くなる案内面７４ＤＳが形成されている。この案内面７４ＤＳに沿う案内面延長線７４ＤＥは、基準面ガイド３２における厚み方向の中央部と交差している。
【０１００】
このリブ７４Ｕとリブ７４Ｄとは、最大小切手厚さよりも互いの先端が広い間隔を空けている。以下ではリブ７４Ｕ及び７４Ｄをまとめてリブ７４とも呼び、案内面７４ＵＳ及び７４ＤＳをまとめて案内面７４Ｓとも呼び、案内面延長線７４ＵＥ及び７４ＤＥをまとめて案内面延長線７４Ｅとも呼ぶ。
【０１０１】
［４−４．動作］
図８に示すように、小切手ＣＫが幅寄せ方向に搬送されると、リブ７４に到達する。このとき下側搬送ガイド３３０Ｄに沿って搬送された小切手ＣＫは、基準面側端部がリブ７４Ｄに乗り上がり、基準面ガイド３２の厚み方向の中央部に突き当たる。一方小切手ＣＫが基準近傍搬送ガイド３６２に沿って搬送された場合、該小切手ＣＫは、基準面側端部がリブ７４Ｕに乗り上がり、基準面ガイド３２の厚み方向の中央部に突き当たる。
【０１０２】
［４−５．効果等］
以上の構成においてアライナ部３１３は、基準近傍搬送ガイド３６２における基準面３２Ｓの近傍に第１の突出部としてのリブ７４Ｕを、下側搬送ガイド３３０Ｄにおける基準面３２Ｓの近傍に第２の突出部としてのリブ７４Ｄをそれぞれ形成し、小切手ＣＫの基準面側端部を下側搬送ガイド面３０ＤＳ及び近傍搬送ガイド面６２Ｓから持ち上げるようにした。このためアライナ部３１３は、基準近傍搬送ガイド３６２と基準面ガイド３２との境目と、下側搬送ガイド３３０Ｄと基準面ガイド３２との境目とに、小切手ＣＫの基準面側端部が到来することを低減でき、板金部品の境目に小切手ＣＫが突き当たる頻度を低減できる。これによりアライナ部３１３は、小切手ＣＫの基準面側端部が基準近傍搬送ガイド３６２と基準面ガイド３２との境目又は下側搬送ガイド３３０Ｄと基準面ガイド３２との境目に引っ掛かってジャムが発生してしまうことを防止し、搬送品質を向上できる。
【０１０３】
またアライナ部３１３は、案内面延長線７４Ｅを、基準面ガイド３２における厚み方向の中央部と交差させるようにした。このためアライナ部３１３は、小切手ＣＫの基準面側端部を、基準近傍搬送ガイド３６２及び下側搬送ガイド３３０Ｄと基準面ガイド３２との境目から離隔する基準面ガイド３２の厚み方向のほぼ中央部に突き当てることができる。
【０１０４】
その他第４の実施の形態によるアライナ部３１３は、第２の実施の形態によるアライナ部２１３とほぼ同様の作用効果を奏する。
【０１０５】
［５．他の実施の形態］
なお上述した実施の形態においては、基準近傍搬送ガイド６２の上側に上側補助ガイド６４Ｕを、下側搬送ガイド３０Ｄの下側に下側補助ガイド６４Ｄを設ける場合について述べた。本発明はこれに限らず、基準近傍搬送ガイド６２と下側搬送ガイド３０Ｄとが十分な厚さを有しており、基準面ガイド３２と基準近傍搬送ガイド６２及び下側搬送ガイド３０Ｄとの間に小切手ＣＫが入り込む隙間が発生しない場合、基準近傍搬送ガイド６２又は下側搬送ガイド３０Ｄの何れか一方又は両方は設けずに省略しても良い。但し、基準近傍搬送ガイド６２と下側搬送ガイド３０Ｄとは、厚さが薄い方が、容易に加工されることができる。
【０１０６】
また上述した第２の実施の形態においては、突起７０を円錐形状とする場合について述べた。本発明はこれに限らず、三角錐形状、円錐台形状や半球形状等、突起を他の種々の形状としても良い。
【０１０７】
さらに上述した第２の実施の形態においては、突起７０を搬送方向に沿って離散的に複数個形成する場合について述べた。本発明はこれに限らず、突起７０を搬送方向に沿って連続的に形成しても良い。
【０１０８】
さらに上述した第２の実施の形態においては、突起７０Ｕと突起７０Ｄとを対向して設ける場合について述べた。本発明はこれに限らず、突起７０Ｕと突起７０Ｄとを搬送幅方向に位置をずらして設けても良い。第３及び第４の実施の形態においても同様である。
【０１０９】
さらに上述した第２の実施の形態においては、基準近傍搬送ガイド１６２に突起７０Ｕを、下側搬送ガイド１３０Ｄに突起７０Ｄを形成する場合について述べた。本発明はこれに限らず、突起７０Ｕ又は突起７０Ｄの何れか一方を形成せずに省略しても良い。第３及び第４の実施の形態においても同様である。
【０１１０】
さらに上述した実施の形態においては、基準面ガイド３２、下側搬送ガイド３０Ｄ及び基準近傍搬送ガイド６２を金属製とする場合について述べた。本発明はこれに限らず、基準面ガイド３２、下側搬送ガイド３０Ｄ及び基準近傍搬送ガイド６２の何れか又は全てを樹脂成形により形成しても良い。但し、基準面ガイド３２は金属製とすることにより、小切手ＣＫで擦られて摩耗しないようにすることが望ましい。第２乃至第４の実施の形態においても同様である。
【０１１１】
さらに上述した実施の形態においては、基準近傍搬送ガイド６２と上側搬送ガイド３０Ｕとを別部品とする場合について述べた。本発明はこれに限らず、上側搬送ガイド３０Ｕが基準近傍搬送ガイド６２に対し可動する必要がない場合、基準近傍搬送ガイド６２と上側搬送ガイド３０Ｕとを一体としても良い。第２乃至第４の実施の形態においても同様である。
【０１１２】
さらに上述した実施の形態においては、固定ネジ６６により、基準面ガイド３２、基準近傍搬送ガイド６２、下側搬送ガイド３０Ｄ、上側補助ガイド６４Ｕ及び下側補助ガイド６４Ｄを締結する場合について述べた。本発明はこれに限らず、他の種々の締結部材により、固定ネジ６６により、基準面ガイド３２、基準近傍搬送ガイド６２、下側搬送ガイド３０Ｄ、上側補助ガイド６４Ｕ及び下側補助ガイド６４Ｄを締結しても良い。
【０１１３】
さらに上述した実施の形態においては、第１搬送路Ｗ１の右側に設けられた基準面ガイド部６０、１６０、２６０及び３６０に小切手ＣＫを幅寄せするアライナ部１３、１１３、２１３及び３１３に本発明を適用する場合について述べた。しかしながら本発明はこれに限らず、第１搬送路Ｗ１の左側に設けられた基準面ガイド部に小切手ＣＫを幅寄せするアライナ部に本発明を適用しても良い。
【０１１４】
さらに上述した実施の形態においては、前記方向に沿った第１搬送路Ｗ１が形成されたアライナ部１３、１１３、２１３及び３１３に本発明を適用する場合について述べた。しかしながら本発明はこれに限らず、上下方向等、他の種々の方向に沿って小切手ＣＫの搬送路が形成された装置に本発明を適用しても良い。
【０１１５】
さらに上述した実施の形態においては、小切手ＣＫの長手方向を搬送方向に沿わせて搬送する小切手処理装置１、１０１及び２０１に本発明を適用する場合について述べた。本発明はこれに限らず、小切手ＣＫの短手方向を搬送方向に沿わせて搬送する小切手処理装置に本発明を適用しても良い。
【０１１６】
さらに上述した実施の形態においては、小切手ＣＫを処理する小切手処理装置１に本発明を適用する場合について述べた。しかしながら本発明はこれに限らず、例えば種々の紙幣、印刷紙、切符、金券、カードや証券、或いは各種チケットなど、紙葉状の媒体を処理する種々の装置に本発明を適用しても良い。
【０１１７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１８】
さらに上述した実施の形態においては、搬送ガイドとしての搬送ガイド３０、１３０、２３０又は３３０と、基準面ガイド部としての基準面ガイド部６０、１６０、２６０又は３６０と、締結部材としての固定ネジ６６と、幅寄せローラとしての幅寄せローラ対４８とによって、媒体幅寄せ装置としてのアライナ部１３、１１３、２１３又は３１３を構成する場合について述べた。しかしながら本発明はこれに限らず、その他種々の構成でなる搬送ガイドと、基準面ガイド部と、締結部材と、幅寄せローラとによって、媒体幅寄せ装置を構成しても良い。
【産業上の利用可能性】
【０１１９】
本発明は、例えば基準面側に媒体を寄せつつ媒体のスキューを矯正する装置でも利用できる。
【符号の説明】
【０１２０】
１、１０１、２０１、３０１……小切手処理装置、２……筐体、３……制御部、１１……バンドル部、１１Ｓ……シャッタ、１２……分離部、１３、１１３、２１３、３１３……アライナ部、１４……第１切替部、１５……スキャナ部、１６……第２切替部、１７……エスクロ部、１８……リトラクト部、１９……後搬送部、２２Ａ……第１スタッカ部、２２Ｂ……第２スタッカ部、３０……搬送ガイド、３０Ｕ……上側搬送ガイド、３０Ｄ、１３０Ｄ、２３０Ｄ、３３０Ｄ……下側搬送ガイド、３０ＤＳ……下側搬送ガイド面、３２……基準面ガイド、３２Ｓ……基準面、３４……搬送第１ローラ、３６……ドライブシャフト、３８……プレスローラ、４０……搬送ローラ組、４８……幅寄せローラ対、５４…第１センサ、５６……幅寄せ完了検知センサ、６０、１６０、２６０、３６０……基準面ガイド部、６２、１６２、２６２、３６２……基準近傍搬送ガイド、６２Ｓ……近傍搬送ガイド面、６４Ｕ……上側補助ガイド、６４Ｄ……下側補助ガイド、６６Ａ、６６Ｂ、６６Ｃ、６６Ｄ、６６Ｅ……固定ネジ、７０……突起、７０Ｓ……案内面、７０Ｅ、７４Ｅ……案内面延長線、７２……毛状部材、７４……リブ、ＣＫ……小切手、ＷＢ……束搬送路、Ｗ……搬送路、Ｗ１……第１搬送路、Ｗ２……第２搬送路、Ｗ３……第３搬送路、Ｗ４……第４搬送路、Ｗ５……第５搬送路、Ｗ６……第６搬送路、Ｗ７……第７搬送路。
【図１】
2018188279.tif 000003
【図２】
2018188279.tif 000004
【図３】
2018188279.tif 000005
【図４】
2018188279.tif 000006
【図５】
2018188279.tif 000007
【図６】
2018188279.tif 000008
【図７】
2018188279.tif 000009
【図８】
2018188279.tif 000010